(57)【特許請求の範囲】
【請求項１】
配送物に貼付される第１伝票上に、配送過程において分離される第２伝票が重ねられ、上側の伝票に記録された情報が下側の伝票に複写される配送伝票において、
前記第１伝票上に所定間隔を隔てて少なくとも２か所に配置され、少なくとも両端部が前記第１伝票に接着された紐状体が設けられており、
前記第２伝票が分離された後、前記第１伝票と前記紐状体との間に分離後の前記第２伝票を挟んで一時的に前記第２伝票を保持可能である
ことを特徴とする配送伝票。
【請求項２】
請求項１に記載の配送伝票において、
前記紐状体は、その上部から与えられる印刷、印字又は筆記圧を前記第１伝票に伝達可能な材料から形成されている
ことを特徴とする配送伝票。
【請求項３】
請求項１又は請求項２に記載の配送伝票において、
前記紐状体は、前記第１伝票上の情報複写領域の外縁部又は外側に配置されている
ことを特徴とする配送伝票。
【請求項４】
請求項１〜請求項３のいずれか１項に記載の配送伝票の使用方法であって、
前記配送伝票を貼付した配送物を発送し、
前記配送物を受取人に届けるときに、前記第２伝票を分離し、
受取人に前記配送物を渡すことができなかったときは、前記第１伝票と前記紐状体との間に分離した前記第２伝票を挟んで、前記第２伝票を前記配送物に一時的に保持しておく
ことを特徴とする配送伝票の使用方法。
【発明の詳細な説明】
【０００１】
【発明の属する技術分野】
この発明は、配送物に貼付される第１伝票上に、配送過程において分離される第２伝票が重ねられ、上側の伝票に記録された情報が下側の伝票に複写される配送伝票と、その使用方法に関するものである。
【０００２】
【従来の技術】
図４は、従来の配送伝票の一例を示す分解斜視図である。この例の配送伝票１０は、厚み方向に重ねられた５枚の配送票１１〜１５から構成されている。最下部の配送票１５は、宅配荷物等の配送物に貼付され、荷札となる配送票である。一般には、配送票１５の裏面には接着剤が塗布され、その接着剤の上部が剥離紙に覆われている。
【０００３】
各配送票１１〜１５の図中左側外縁部の所定面側には、接着剤１６（図中、斜線部領域）が塗布され、各配送票１１〜１５が剥離不能に綴じ合わせられている。そして、配送票１１〜１４の上記接着剤が塗布された領域の内側のラインには、裁断可能なミシン目１７が形成されている。さらに、配送票１５の図中上下側の外縁部には、仮接着剤１８が塗布されており、配送票１４と１５とは、この領域において剥離可能に接着されている。
【０００４】
また、配送票１１〜１４の裏面側の所定領域には、カーボン層（図示せず）が設けられている。これにより、配送票１１上に手書き又は印字等により宛名等の情報が記録されると、その情報の全部又は一部が上記カーボン層により、その下側の配送票１２〜１５上に複写される。
【０００５】
配送伝票１０は、配送物に貼付される。この配送物は、その取扱店から所定の物流過程を経て、受取人に渡される。
配送票１１〜１３は、例えば差出人控えや配送受付控えとなる伝票であり、それぞれ物流過程でミシン目１７の裁断により分離される。配送業者に配送物が渡るときは、配送伝票１０は、配送票１４と１５のみとなる。
そして、配送業者が受取人に配送物を運ぶときは、最後の配送票１４を分離する（図５）。この配送票１４は、配達証明票として、受取人から判を押してもらうための伝票である。
【０００６】
ここで、配送票１４の図４中、上下側外縁部は、接着剤１８によって配送票１５と剥離可能に接着されているので、この領域において配送票１４を剥離することができる。そして、左側外縁部のミシン目１７を裁断すれば、配送票１５上から配送票１４を分離することができる。
配送業者のドライバーは、配送票１５のみが貼付された配送物を荷台に積み、運転席で配送票１４を見てそれに記録された受取人に配送物を届ける。
【０００７】
【発明が解決しようとする課題】
しかし、前述の従来の配送伝票１０では、以下の課題があった。
配送業者のドライバーが配送物を届けに行った場合に、受取人が不在のときがある。このときは、ドライバーは、配送物を持ち帰り、一時的に倉庫に保管する。ここで、配送時に一旦剥離した配送票１４は、再度配送物に添付することができないという問題があった。したがって、配送物と配送票１４とを別々に管理しなければならず、煩雑となり、さらに誤配送や配送票１４の紛失を招くおそれがあるという問題があった。
【０００８】
一方、従来の配送伝票において、下側の２枚の配送票を袋状に接着し、この内部に配送票を収納可能としたものが知られている。しかし、この形状では、袋状に形成するために、最下部の用紙が伝票としては機能しないので、コストが高くつくという問題がある。
【０００９】
本発明の課題は、コストを高くすることなく、一旦分離した配送票を配送物に再添付することができるようにすることにある。
【００１０】
【課題を解決するための手段】
上述の課題を解決するために、請求項１の発明は、配送物に貼付される第１伝票上に、配送過程において分離される第２伝票が重ねられ、上側の伝票に記録された情報が下側の伝票に複写される配送伝票において、前記第１伝票上に所定間隔を隔てて少なくとも２か所に配置され、少なくとも両端部が前記第１伝票に接着された紐状体が設けられており、前記第２伝票が分離された後、前記第１伝票と前記紐状体との間に分離後の前記第２伝票を挟んで一時的に前記第２伝票を保持可能であることを特徴とする。
【００１１】
請求項２の発明は、請求項１に記載の配送伝票において、前記紐状体は、その上部から与えられる印刷、印字又は筆記圧を前記第１伝票に伝達可能な材料から形成されていることを特徴とする。
請求項３の発明は、請求項１又は請求項２に記載の配送伝票において、前記紐状体は、前記第１伝票上の情報複写領域の外縁部又は外側に配置されていることを特徴とする。
【００１２】
請求項４の発明は、請求項１〜請求項３のいずれか１項に記載の配送伝票の使用方法であって、前記配送伝票を貼付した配送物を発送し、前記配送物を受取人に届けるときに、前記第２伝票を分離し、受取人に前記配送物を渡すことができなかったときは、前記第１伝票と前記紐状体との間に分離した前記第２伝票を挟んで、前記第２伝票を前記配送物に一時的に保持しておくことを特徴とする。
【００１３】
【発明の実施の形態】
以下、図面等を参照して、本発明の一実施形態について説明する。図１は、本発明による配送伝票の一実施形態を示す分解斜視図である。
この実施形態の配送伝票２０は、厚み方向に重ねられた５枚の配送票２１〜２５を備える。配送票２１〜２３及び２５には、一般の紙材が用いられ、配送票２４には、合成紙等が用いられる。これは、雨露にさらされる等の環境下でも、配送票２４の十分な強度を確保するためである。
【００１４】
配送票２１〜２３は、例えば差出人控え、売場控え、ホスト（管理者側）控え、又は配送受付控え等となる伝票であり、配送伝票２０が用いられる物流過程に応じて種々選択設定されるものである。したがって、配送伝票２０は、本実施形態で示した伝票枚数に限られるものではない。
配送票２４は、配達証明票として、受取人から判を押してもらうための伝票である。
配送票２５は、配送物に貼付され荷札となる配送票である。図示しないが、配送票２５の裏面には、配送物に貼付するための接着剤が塗布され、その接着剤の上面は剥離紙に覆われている。
【００１５】
各配送票２１〜２５の図中左側外縁部の所定面側には、接着剤２７（図中、斜線部領域）が塗布され、各配送票２１〜２５は、この領域で剥離不能に綴じ合わせられている。そして、配送票２１〜２４の上記接着剤が塗布された領域の内側のラインには、裁断可能なミシン目２８が形成されている。
また、配送票２５の図中上下側の外縁部の所定領域（図中、斜線部領域）には、接着剤２９が塗布されている。接着剤２９は、上述の接着剤２７より接着力が弱く形成されたものである。この接着剤２９により、合成紙等から形成された配送票２４と、紙材等から形成された配送票２５とは、完全に接着されず、剥離可能に接着される。
【００１６】
また、配送票２５上には、紐状体２６（２６ａ，２６ｂ）が設けられている。この実施形態では、紐状体２６は、所定の間隔を隔てて配送票２５上に２つ設けられている。この紐状体２６の材質としては、例えば木綿繊維があげられる。
紐状体２６は、配送票２５の図中上下側の辺に延在するように設けられ、その端部が接着剤２９により配送票２５に接着されている。ここで、上述のように接着剤２９の接着力が配送票２４と２５とを剥離可能に接着するものであっても、木綿繊維から形成された紐状体２６と配送票２５とは、接着剤２９により剥離不能に接着される。したがって、紐状体２６を接着するための接着剤を別個に設けることなく、紐状体２６を接着することができる。
【００１７】
配送票２１〜２４の裏面側の所定領域には、カーボン層（図示せず）が設けられている。これにより、配送票２１上に手書き又は印字等により宛名等の情報が記録されると、その情報の全部又は一部が前記カーボン層により、その下側の配送票２２〜２５上に複写される。一方、上記カーボン層に限らず、例えば発色剤と顕色剤とからなるノンカーボン層を配送票２１〜２５の所定面に設けて、情報を複写可能に形成しても良い。
【００１８】
図２は、配送票２５と紐状体２６との位置関係をより詳細に示す平面図である。配送票２５上には、予め差出人や受取人の宛名、商品名、発着店コードその他の情報が複写される情報複写領域（欄）が設けられている（他の配送票２１〜２４も同様である）。そして、紐状体２６は、図中（ａ）に示すように、情報複写領域外に配置するか、あるいは図中（ｂ）に示すように情報複写領域内であってもその外縁部に配置するのが好ましい。このように紐状体２６を配置すれば、配送票２１に情報を記録して配送票２５に複写するときの妨げとならず、また、配送伝票２０に宛名等を記入するときに、その記入者に違和感を与えないようにすることができる。
【００１９】
さらに、上部から作用した印刷、印字又は筆圧を下側の配送票２５に十分に伝達可能な材料から紐状体２６を形成することが好ましい。このようにすれば、たとえ紐状体２６の位置がずれて配送票２５の情報複写領域内に配置され、その上部に筆圧等が作用しても、配送票２５に情報を複写することができる。
【００２０】
配送伝票２０は、配送物に貼付される。そして、配送物の取扱店から所定の物流過程を経て、受取人に渡される。
配送票２１，２２及び配送票２３は、それぞれ物流過程で分離される。これらの配送票２１〜２３は、ミシン目２８が裁断されることによって分離される。
配送業者に配送物が渡るときは、配送伝票２０は、配送票２４と２５のみとなる。
【００２１】
配送業者が受取人に配送物を運ぶときは、配送票２４を分離する。ここで、配送票２４の図１中、上下側外縁部は接着剤２９により剥離可能に接着されているので、この領域において配送票２４を剥離することができる。なお、この剥離によっても、紐状体２６は接着剤２９に剥離不能に接着されているので、紐状体２９が分離してしまうことはない。そして、左側外縁部のミシン目２８を裁断すれば、配送票２５上から配送票２４を分離することができる。
【００２２】
配送業者のドライバーは、配送物を届けに行った場合に受取人が不在のときは、配送物を持ち帰り、一時的に倉庫に保管する。このときに、図３に示すように、剥離した配送票２４を、配送票２５と紐状体２６との間に挟んでおくことができる。これにより、配送票２４を配送物に一時的に保持しておくことができる。したがって、配送物と配送票２４とを別々に管理する必要がなく、配送票２４の紛失のおそれもなくなる。
【００２３】
配送物を再度配送するときは、この部分から配送票２４を抜き取れば良い。受取人がさらに不在のときは、上述と同様に、配送票２４を配送物に再度添付しておけば良い。
以上により、コストを高くすることなく、一旦剥離した配送票２４を、配送物に再添付することができる。また、紐状体２６は非常に細いものであるので、配送票２５上の情報の視認性を妨げることはない。さらに、配送票２５上への接着剤２９の１回の塗布工程で、配送票２４を剥離可能に接着する部分と紐状体２６を剥離不能に接着する部分とを設けることができる。
【００２４】
以上、本発明の一実施形態について説明したが、本発明は、上述した実施形態に限定されることなく、均等の範囲内で以下のような種々の変形が可能である。例えば、紐状体２６は、極めて細い糸状のものや、偏平した帯状のものでも良く、その断面形状としては、円形状、方形状等、いかなる形状であっても良い。また、紐状体２６は、実施形態では２本設けたが、２本以上であればいくつ設けても良い。
さらに、紐状体２６の材質として、実施形態では木綿繊維を用いたが、これに限ることなく、紙材、樹脂材料等を用いることもできる。
【００２５】
【発明の効果】
請求項１又は請求項４の発明によれば、コストを高くすることなく、一旦分離した第２伝票を、配送物に再添付することができる。また、第１伝票の視認性を妨げることなく、第２伝票を再添付する部分を設けることができる。
請求項２の発明によれば、紐状体に筆圧等が作用しても、その圧力を第１伝票に伝達して、第１伝票に情報を複写することができる。
請求項３の発明によれば、第１伝票に情報を複写するときの妨げとならず、また、配送伝票に宛名等を記入するときに、その記入者に違和感を与えないようにすることができる。
【図面の簡単な説明】
【図１】本発明による配送伝票の一実施形態を示す分解斜視図である。
【図２】配送票２５と紐状体２６との位置関係をより詳細に示す平面図である。
【図３】剥離した配送票２４を、配送票２５と紐状体２６との間に挟んだときの様子を示す斜視図である。
【図４】従来の配送伝票の一例を示す分解斜視図である。
【図５】配送票１５上から配送票１４を分離するときの様子を示す斜視図である。
【符号の説明】
２０  配送伝票
２１，２２，２３，２４，２５  配送票
２６  紐状体
２７  接着剤
２８  ミシン目
２９  接着剤
【図１】
0003648615.tif 000002
【図２】
0003648615.tif 000003
【図３】
0003648615.tif 000004
【図４】
0003648615.tif 000005
【図５】
0003648615.tif 000006